(57)【要約】【課題】現存の電子設備中で電源供給の管理及び制御を最適化不能の問題を解決すると共に電力供給の安全性が不足する問題を解決すること。【解決手段】コントローラーで負荷回路に供給する経路の開閉状態を制御し、マイクロコントローラーが実際の総出力電流が設定された定格総出力電流値を超過したか或いは超過間近であることを検出する時、負荷の暫時停止の優先順序により、少なくとも一つの負荷への電流供給を暫時停止し、実際の総出力電流が設定定格総出力電流値或いは設定された定格リミット電流差値を未超過の時、負荷の暫時停止の反対方向の優先順序により、新たに先に電流供給を暫時停止した負荷を起動する。本発明は電子設備の電源供給器及び電子設備本体の安全保護装置とされ得ると共に、電源供給器の電源に対する良好な管理と制御を行う。【選択図】        図１
2004227555.tif 000002
【特許請求の範囲】
【請求項１】
電源供給器の電源管理及び制御方法において、この方法は電源供給器の負荷システム中の複数の負荷に供給される電流を管理及び制御する方法であり、以下のステップ、則ち、
ａ．電源供給器の定格総出力電流値を設定し、並びに各負荷の暫時停止の優先順序を制定するステップ、
ｂ．電源供給器が負荷に供給される実際の総出力電流を測定するステップ、
ｃ．該実際の総出力電流と電源供給器の設定した定格総出力電流値を比較するステップ、
ｄ．この実際の総出力電流が設定した定格総出力電流値を超過した時に、負荷の暫時停止の優先順序により、少なくとも一つの負荷への電流供給を暫時停止するステップ、
ｅ．該実際の総出力電流が設定した定格総出力電流値を未超過の時、負荷の暫時停止の反対方向優先順序により先に電流供給を暫時停止した負荷を再起動するステップ、
を具えたことを特徴とする、電源供給器の電源管理及び制御方法。
【請求項２】
請求項１記載の電源供給器の電源管理及び制御方法において、各負荷に供給される電流を測定するステップを具えたことを特徴とする、電源供給器の電源管理及び制御方法。
【請求項３】
請求項１記載の電源供給器の電源管理及び制御方法において、負荷がコンピュータシステム中の実体負荷とされたことを特徴とする、電源供給器の電源管理及び制御方法。
【請求項４】
請求項１記載の電源供給器の電源管理及び制御方法において、負荷がコンピュータシステム中の実行プログラム或いは機能とされたことを特徴とする、電源供給器の電源管理及び制御方法。
【請求項５】
請求項１記載の電源供給器の電源管理及び制御方法において、ｄのステップが負荷システムを正常周波数作業モードから周波数ダウン作業モードに切り換えるステップを具え、ｅのステップが負荷システムを周波数ダウン作業モードを正常周波数作業モードに切り換えるステップを具えたことを特徴とする、電源供給器の電源管理及び制御方法。
【請求項６】
電源供給器の電源管理及び制御方法において、この方法は電源供給器の負荷システム中の複数の負荷に供給される電流を管理及び制御する方法であり、以下のステップ、則ち、
ａ．電源供給器の定格総出力電流値、定格リミット電流差値を設定し、並びに各負荷の暫時停止の優先順序を制定し、そのうち定格リミット電流差値を定格総出力電流値と実際の総出力電流の差の許容リミット値と定義するステップ、
ｂ．電源供給器が負荷に供給される実際の総出力電流を測定するステップ、
ｃ．該実際の総出力電流と電源供給器の設定した定格総出力電流値を比較するステップ、
ｄ．この実際の総出力電流の定格総出力電流値との差の値が設定した定格リミット電流差値を超過する時、負荷の暫時停止の優先順序により、少なくとも一つの負荷への電流供給を暫時停止するステップ、
ｅ．該実際の総出力電流の定格総出力電流値との差の値が設定した定格リミット電流差値を未超過の時、負荷の暫時停止の反対方向優先順序により先に電流供給を暫時停止した負荷を再起動するステップ、
を具えたことを特徴とする、電源供給器の電源管理及び制御方法。
【請求項７】
請求項６記載の電源供給器の電源管理及び制御方法において、各負荷に供給される電流を測定するステップを具えたことを特徴とする、電源供給器の電源管理及び制御方法。
【請求項８】
請求項６記載の電源供給器の電源管理及び制御方法において、負荷がコンピュータシステム中の実体負荷とされたことを特徴とする、電源供給器の電源管理及び制御方法。
【請求項９】
請求項６記載の電源供給器の電源管理及び制御方法において、負荷がコンピュータシステム中の実行プログラム或いは機能とされたことを特徴とする、電源供給器の電源管理及び制御方法。
【請求項１０】
請求項６記載の電源供給器の電源管理及び制御方法において、ｄのステップが負荷システムを正常周波数作業モードから周波数ダウン作業モードに切り換えるステップを具え、ｅのステップが負荷システムを周波数ダウン作業モードを正常周波数作業モードに切り換えるステップを具えたことを特徴とする、電源供給器の電源管理及び制御方法。
【請求項１１】
電源供給器の電源管理及び制御装置において、この装置は電源供給器の負荷システム中の複数の負荷に供給される電流を管理及び制御する装置であり、
複数の電流経路を具え、電源供給器の供給する出力電圧を異なる電流経路により異なる負荷に供給するスイッチ装置と、
該スイッチ装置の開閉状態を制御するマイクロコントローラーと、
該マイクロコントローラーに連接され、予め設定された電源供給器の定格総出力電流値を保存した設定基準値保存ユニットと、
該マイクロコントローラーに連接され、全体システム中の負荷数、及び予め制定された各負荷の暫時停止の優先順序の作業項目を保存した優先順序保存ユニットと、
を具え、該マイクロコントローラーが実際の総出力電流が該設定された電源供給器の定格総出力電流値を超過したことを検出すると、負荷の暫時停止の優先順序により、電流の少なくとも一つの負荷への供給を暫時停止し、この実際の総出力電流が該定格総出力電流値を未超過の時、負荷の暫時停止の反対方向優先順序により、先に電流供給を暫時停止した負荷を再起動することを特徴とする、電源供給器の電源管理及び制御装置。
【請求項１２】
請求項１１記載の電源供給器の電源管理及び制御装置において、優先順序保存ユニット中に予め制定された各負荷の暫時停止の優先順序が、全体システム中の所定操作機能維持の重要程度により定められたことを特徴とする、電源供給器の電源管理及び制御装置。
【請求項１３】
請求項１１記載の電源供給器の電源管理及び制御装置において、負荷がノートブック型コンピュータとされたことを特徴とする、電源供給器の電源管理及び制御装置。
【請求項１４】
請求項１１記載の電源供給器の電源管理及び制御装置において、マイクロコントローラーがノートブック型コンピュータのキーボードコントローラーとされたことを特徴とする、電源供給器の電源管理及び制御装置。
【請求項１５】
請求項１１記載の電源供給器の電源管理及び制御装置において、スイッチ装置が負荷の各電流経路中に連接され、各負荷に供給される電流値を検出する電流検出回路を更に具えたことを特徴とする、電源供給器の電源管理及び制御装置。
【請求項１６】
請求項１１記載の電源供給器の電源管理及び制御装置において、優先順序保存ユニットの優先順序表中の作業項目が、負荷システムの作業周波数の切り換えを含むことを特徴とする、電源供給器の電源管理及び制御装置。
【請求項１７】
電源供給器の電源管理及び制御装置において、この装置は電源供給器の負荷システム中の複数の負荷に供給される電流を管理及び制御する装置であり、
複数の電流経路を具え、電源供給器の供給する出力電圧を異なる電流経路により異なる負荷に供給するスイッチ装置と、
該スイッチ装置の開閉状態を制御するマイクロコントローラーと、
該マイクロコントローラーに連接され、予め設定された電源供給器の定格総出力電流値、及び定格リミット電流差値を保存し、該定格リミット電流差値が定格総出力電流値と実際の総出力電流の許容電流差値と定義された設定基準値保存ユニットと、
該マイクロコントローラーに連接され、全体システム中の負荷数、及び予め制定された各負荷の暫時停止の優先順序の作業項目を保存した優先順序保存ユニットと、
を具え、該マイクロコントローラーが実際の総出力電流の、該設定された電源供給器の定格総出力電流値との差の値が、設定された定格リミット電流差値を超過したことを検出すると、負荷の暫時停止の優先順序により、電流の少なくとも一つの負荷への供給を暫時停止し、この実際の総出力電流の該設定された電源供給器の定格総出力電流値との差の値が、該設定された定格リミット電流差値を未超過の時、負荷の暫時停止の反対方向優先順序により、先に電流供給を暫時停止した負荷を再起動することを特徴とする、電源供給器の電源管理及び制御装置。
【請求項１８】
請求項１７記載の電源供給器の電源管理及び制御装置において、優先順序保存ユニット中に予め制定された各負荷の暫時停止の優先順序が、全体システム中の所定操作機能維持の重要程度により定められたことを特徴とする、電源供給器の電源管理及び制御装置。
【請求項１９】
請求項１７記載の電源供給器の電源管理及び制御装置において、負荷がノートブック型コンピュータとされたことを特徴とする、電源供給器の電源管理及び制御装置。
【請求項２０】
請求項１７記載の電源供給器の電源管理及び制御装置において、マイクロコントローラーがノートブック型コンピュータのキーボードコントローラーとされたことを特徴とする、電源供給器の電源管理及び制御装置。
【請求項２１】
請求項１７記載の電源供給器の電源管理及び制御装置において、スイッチ装置が負荷の各電流経路中に連接され、各負荷に供給される電流値を検出する電流検出回路を更に具えたことを特徴とする、電源供給器の電源管理及び制御装置。
【請求項２２】
請求項１７記載の電源供給器の電源管理及び制御装置において、優先順序保存ユニットの優先順序表中の作業項目が、負荷システムの作業周波数の切り換えを含むことを特徴とする、電源供給器の電源管理及び制御装置。
【発明の詳細な説明】
【０００１】
【発明の属する技術分野】
本発明は一種の電源システムの制御技術に係り、特に電源供給器の電源管理及び制御方法及び装置に関する。
【０００２】
【従来の技術】
テクノロジーの進歩により各種の電子設備が不断に研究開発されている。電子設備の正常な運転を確保するため、電源供給器により規定に符号する作業電源を該電子設備に供給する必要がある。電子設備のパワーが強くなり、速度が速くなり、組み合せられる周辺設備が多くなるほど、その消耗する電気エネルギーも大きくなる。
【０００３】
早期の電源供給器の設計は、ただ電気エネルギーを電子設備に供給するだけであり、電源の管理は重視されていなかった。しかし、携帯式電気設備の普及により、電源供給器の電源管理及び制御はますます重要となっている。安全設計の面では早期の電気設備中にあってはヒューズを負荷システムの過電流保護手段としている。一旦過電流の状況が発生すると、ヒューズが焼き切られて負荷に供給される電源が直接切断される。
【０００４】
しかし現在普及しているコンピュータ設備或いは携帯式コンピュータにあっては、その基本入出力システム中に電源管理の機能が設計され、使用者がコンピュータを所定の時間未使用であると、ある装置、例えばスクリーン、ディスクドライブ等が切断されるかスリープ状態に進入し、これにより節電の目的を達成している。しかし、このような技術は電気エネルギーを節約し一部の装置の不必要な運転を停止させるだけであり、負荷電流の管理或いは電流オーバーロードの管理を達成できない。
【０００５】
【発明が解決しようとする課題】
周知の技術を鑑みるに、負荷電流の管理或いは電流オーバーロードの管理の技術を具備している装置はなく、ゆえに電源管理及び制御の技術を設計することにより、電子設備の使用の安全性を高めることができる。
【０００６】
さらに、現在精密な電子設備は、そのシステム運転が経常的に信号の伝送受信及びデータのアクセスを行なうため、ゆえに周知の技術のように直接電源を切断する方式で安全目的を達成することはできず、特に重要なデータ或いはファイルを保存する必要のコンピュータサーバーにあってはこのような方式は使用できない。現在の携帯型コンピュータに関しては、電源供給器は電池を充電して全体システムの運転のために供給する必要があり、ゆえに電源供給器は持続的に十分な電流を各システム中の負荷に供給しなければならない。しかし大き過ぎる容量の電源供給器の使用は大きなコストを必要とする。ゆえに、電源供給器に最良の電力供給状況を達成させられ、また安全の目的を達成できる電源管理及び制御技術が望まれている。
【０００７】
ゆえに、本発明の主要な目的は、一種の電源供給器の電源管理及び制御方法を提供することにあり、それは、適当な電源管理及び制御により、電源供給器が負荷電流が所定の定格負荷電流或いは所定の定格リミット電流差値を超過する時、適時に一部負荷への電力供給を暫時停止でき、負荷電流が所定の定格負荷電流を未超過の時、先に暫時停止した一部負荷を適時に起動することができる方法とする。
【０００８】
本発明のもう一つの目的は、一種の電源供給器の電源管理及び制御装置を提供することにあり、それは、コントローラーにより負荷電流の状況を監視し、電源供給器の供給する総負荷電流が所定の定格負荷電流を超過した時、適時に一部負荷への電源供給を暫時停止し、負荷電流が所定の定格負荷電流を未超過の時に、適時に先に暫時停止した一部負荷を起動する装置とする。
【０００９】
【課題を解決するための手段】
請求項１の発明は、電源供給器の電源管理及び制御方法において、この方法は電源供給器の負荷システム中の複数の負荷に供給される電流を管理及び制御する方法であり、以下のステップ、則ち、
ａ．電源供給器の定格総出力電流値を設定し、並びに各負荷の暫時停止の優先順序を制定するステップ、
ｂ．電源供給器が負荷に供給される実際の総出力電流を測定するステップ、
ｃ．該実際の総出力電流と電源供給器の設定した定格総出力電流値を比較するステップ、
ｄ．この実際の総出力電流が設定した定格総出力電流値を超過した時に、負荷の暫時停止の優先順序により、少なくとも一つの負荷への電流供給を暫時停止するステップ、
ｅ．該実際の総出力電流が設定した定格総出力電流値を未超過の時、負荷の暫時停止の反対方向優先順序により先に電流供給を暫時停止した負荷を再起動するステップ、
を具えたことを特徴とする、電源供給器の電源管理及び制御方法としている。
請求項２の発明は、請求項１記載の電源供給器の電源管理及び制御方法において、各負荷に供給される電流を測定するステップを具えたことを特徴とする、電源供給器の電源管理及び制御方法としている。
請求項３の発明は、請求項１記載の電源供給器の電源管理及び制御方法において、負荷がコンピュータシステム中の実体負荷とされたことを特徴とする、電源供給器の電源管理及び制御方法としている。
請求項４の発明は、請求項１記載の電源供給器の電源管理及び制御方法において、負荷がコンピュータシステム中の実行プログラム或いは機能とされたことを特徴とする、電源供給器の電源管理及び制御方法としている。
請求項５の発明は、請求項１記載の電源供給器の電源管理及び制御方法において、ｄのステップが負荷システムを正常周波数作業モードから周波数ダウン作業モードに切り換えるステップを具え、ｅのステップが負荷システムを周波数ダウン作業モードを正常周波数作業モードに切り換えるステップを具えたことを特徴とする、電源供給器の電源管理及び制御方法としている。
請求項６の発明は、電源供給器の電源管理及び制御方法において、この方法は電源供給器の負荷システム中の複数の負荷に供給される電流を管理及び制御する方法であり、以下のステップ、則ち、
ａ．電源供給器の定格総出力電流値、定格リミット電流差値を設定し、並びに各負荷の暫時停止の優先順序を制定し、そのうち定格リミット電流差値を定格総出力電流値と実際の総出力電流の差の許容リミット値と定義するステップ、
ｂ．電源供給器が負荷に供給される実際の総出力電流を測定するステップ、
ｃ．該実際の総出力電流と電源供給器の設定した定格総出力電流値を比較するステップ、
ｄ．この実際の総出力電流の定格総出力電流値との差の値が設定した定格リミット電流差値を超過する時、負荷の暫時停止の優先順序により、少なくとも一つの負荷への電流供給を暫時停止するステップ、
ｅ．該実際の総出力電流の定格総出力電流値との差の値が設定した定格リミット電流差値を未超過の時、負荷の暫時停止の反対方向優先順序により先に電流供給を暫時停止した負荷を再起動するステップ、
を具えたことを特徴とする、電源供給器の電源管理及び制御方法としている。
請求項７の発明は、請求項６記載の電源供給器の電源管理及び制御方法において、各負荷に供給される電流を測定するステップを具えたことを特徴とする、電源供給器の電源管理及び制御方法としている。
請求項８の発明は、請求項６記載の電源供給器の電源管理及び制御方法において、負荷がコンピュータシステム中の実体負荷とされたことを特徴とする、電源供給器の電源管理及び制御方法としている。
請求項９の発明は、請求項６記載の電源供給器の電源管理及び制御方法において、負荷がコンピュータシステム中の実行プログラム或いは機能とされたことを特徴とする、電源供給器の電源管理及び制御方法としている。
請求項１０の発明は、請求項６記載の電源供給器の電源管理及び制御方法において、ｄのステップが負荷システムを正常周波数作業モードから周波数ダウン作業モードに切り換えるステップを具え、ｅのステップが負荷システムを周波数ダウン作業モードを正常周波数作業モードに切り換えるステップを具えたことを特徴とする、電源供給器の電源管理及び制御方法としている。
請求項１１の発明は、電源供給器の電源管理及び制御装置において、この装置は電源供給器の負荷システム中の複数の負荷に供給される電流を管理及び制御する装置であり、
複数の電流経路を具え、電源供給器の供給する出力電圧を異なる電流経路により異なる負荷に供給するスイッチ装置と、
該スイッチ装置の開閉状態を制御するマイクロコントローラーと、
該マイクロコントローラーに連接され、予め設定された電源供給器の定格総出力電流値を保存した設定基準値保存ユニットと、
該マイクロコントローラーに連接され、全体システム中の負荷数、及び予め制定された各負荷の暫時停止の優先順序の作業項目を保存した優先順序保存ユニットと、
を具え、該マイクロコントローラーが実際の総出力電流が該設定された電源供給器の定格総出力電流値を超過したことを検出すると、負荷の暫時停止の優先順序により、電流の少なくとも一つの負荷への供給を暫時停止し、この実際の総出力電流が該定格総出力電流値を未超過の時、負荷の暫時停止の反対方向優先順序により、先に電流供給を暫時停止した負荷を再起動することを特徴とする、電源供給器の電源管理及び制御装置としている。
請求項１２の発明は、請求項１１記載の電源供給器の電源管理及び制御装置において、優先順序保存ユニット中に予め制定された各負荷の暫時停止の優先順序が、全体システム中の所定操作機能維持の重要程度により定められたことを特徴とする、電源供給器の電源管理及び制御装置としている。
請求項１３の発明は、請求項１１記載の電源供給器の電源管理及び制御装置において、負荷がノートブック型コンピュータとされたことを特徴とする、電源供給器の電源管理及び制御装置としている。
請求項１４の発明は、請求項１１記載の電源供給器の電源管理及び制御装置において、マイクロコントローラーがノートブック型コンピュータのキーボードコントローラーとされたことを特徴とする、電源供給器の電源管理及び制御装置としている。
請求項１５の発明は、請求項１１記載の電源供給器の電源管理及び制御装置において、スイッチ装置が負荷の各電流経路中に連接され、各負荷に供給される電流値を検出する電流検出回路を更に具えたことを特徴とする、電源供給器の電源管理及び制御装置としている。
請求項１６の発明は、請求項１１記載の電源供給器の電源管理及び制御装置において、優先順序保存ユニットの優先順序表中の作業項目が、負荷システムの作業周波数の切り換えを含むことを特徴とする、電源供給器の電源管理及び制御装置としている。
請求項１７の発明は、電源供給器の電源管理及び制御装置において、この装置は電源供給器の負荷システム中の複数の負荷に供給される電流を管理及び制御する装置であり、
複数の電流経路を具え、電源供給器の供給する出力電圧を異なる電流経路により異なる負荷に供給するスイッチ装置と、
該スイッチ装置の開閉状態を制御するマイクロコントローラーと、
該マイクロコントローラーに連接され、予め設定された電源供給器の定格総出力電流値、及び定格リミット電流差値を保存し、該定格リミット電流差値が定格総出力電流値と実際の総出力電流の許容電流差値と定義された設定基準値保存ユニットと、
該マイクロコントローラーに連接され、全体システム中の負荷数、及び予め制定された各負荷の暫時停止の優先順序の作業項目を保存した優先順序保存ユニットと、
を具え、該マイクロコントローラーが実際の総出力電流の、該設定された電源供給器の定格総出力電流値との差の値が、設定された定格リミット電流差値を超過したことを検出すると、負荷の暫時停止の優先順序により、電流の少なくとも一つの負荷への供給を暫時停止し、この実際の総出力電流の該設定された電源供給器の定格総出力電流値との差の値が、該設定された定格リミット電流差値を未超過の時、負荷の暫時停止の反対方向優先順序により、先に電流供給を暫時停止した負荷を再起動することを特徴とする、電源供給器の電源管理及び制御装置としている。
請求項１８の発明は、請求項１７記載の電源供給器の電源管理及び制御装置において、優先順序保存ユニット中に予め制定された各負荷の暫時停止の優先順序が、全体システム中の所定操作機能維持の重要程度により定められたことを特徴とする、電源供給器の電源管理及び制御装置としている。
請求項１９の発明は、請求項１７記載の電源供給器の電源管理及び制御装置において、負荷がノートブック型コンピュータとされたことを特徴とする、電源供給器の電源管理及び制御装置としている。
請求項２０の発明は、請求項１７記載の電源供給器の電源管理及び制御装置において、マイクロコントローラーがノートブック型コンピュータのキーボードコントローラーとされたことを特徴とする、電源供給器の電源管理及び制御装置としている。
請求項２１の発明は、請求項１７記載の電源供給器の電源管理及び制御装置において、スイッチ装置が負荷の各電流経路中に連接され、各負荷に供給される電流値を検出する電流検出回路を更に具えたことを特徴とする、電源供給器の電源管理及び制御装置としている。
請求項２２の発明は、請求項１７記載の電源供給器の電源管理及び制御装置において、優先順序保存ユニットの優先順序表中の作業項目が、負荷システムの作業周波数の切り換えを含むことを特徴とする、電源供給器の電源管理及び制御装置としている。
【００１０】
【発明の実施の形態】
本発明の周知の技術の問題を解決するために採用する技術手段によると、電子設備の電源供給システム中にスイッチ装置が設けられ、それは、電源供給器の供給する出力電圧を異なる電流経路によりそれぞれ異なる負荷に供給するための複数の電流経路と、該スイッチ装置の開閉状態を制御するマイクロコントローラーと、該マイクロコントローラーに連接されて予め設定された電源供給器定格総出力電流値を保存する設定基準値保存ユニットと、該マイクロコントローラーに連接されて、全体システム中の負荷数、及び予め制定された各負荷が暫時停止される優先順序を保存する優先順序保存ユニットと、を具え、マイクロコントローラーが実際の総合出力電流が設定された定格総出力電流値を超過するかほぼ超過する時に、負荷の暫時停止される優先順序により、電流の少なくとも一つの負荷への供給を暫時停止し、実際の総出力電流が該設定された定格総出力電流値を未超過の時、負荷の暫時停止される反対優先順序により、先に電流供給を暫時停止した負荷を新たに起動する。この予め設定された各負荷の暫時停止される優先順序は全体システム中での所定操作機能維持の重要程度により定められる。
【００１１】
本発明の技術がノートブック型コンピュータに応用される時、そのマイクロコントローラーはノートブック型コンピュータのキーボードコントローラーとされえて、該キーボードコントローラーにより一部負荷の起動或いは停止（例えば電池充電）を行う。
【００１２】
【実施例】
図１は本発明の回路連接表示図であり、電力供給システムの電気回路連接構造中にあって、電源供給器１は交流電圧源ＡＣＶより作業電源を取得し、さらにその出力端より直流定格出力電圧Ｖを供給する。該直流出力電圧Ｖはコントローラー２の制御を受けた後に、異なる電流経路で各負荷システム中の各負荷３１、３２、３３、３４に供給される。電源供給器１の供給する出円龍が各負荷に供給されるか否かは、コントローラー２により制御される。該負荷システムはノートブック型コンピュータ、デスクトップ型コンピュータ、或いはその他の電子設備とされうる。
【００１３】
該電源供給器１は定格出力電圧Ｖｍａｘと定格負荷電流Ｉｍａｘを具えている。該電源供給器１が各負荷に供給する電流Ｉ１、Ｉ２、Ｉ３、Ｉ４の総合電流は該電源供給器１の供給する実際の総出力電流Ｉｒｅａｌに等しい。これにより、該コントローラー２は各負荷の負荷電流Ｉ１、Ｉ２、Ｉ３、Ｉ４を監視することにより、各負荷３１、３２、３３、３４の消耗するパワー値を計算でき、該電源供給器１が負荷に供給する実際の総出力電流Ｉｒｅａｌを計算できる。
【００１４】
各負荷３１、３２、３３、３４が消耗する負荷電流Ｉ１、Ｉ２、Ｉ３、Ｉ４を検出するため、各負荷３１、３２、３３、３４の回路経路中に電流検出回路４１、４２、４３、４４が設けられて、各負荷３１、３２、３３、３４の実際の負荷電流値を検出する。これらの検出された実際の負荷電流信号ＳＩ１、ＳＩ２、ＳＩ３、ＳＩ４はコントローラー２に送られ、該コントローラー２が本発明の機能を実行する根拠とされる。
【００１５】
該電源供給器１は現在一般に使用されている交換式電源供給器或いはその他の形式の電源供給装置とされうる。本発明がノートブック型コンピュータに応用される時、該コントローラー２はノートブック型コンピュータ装置中のキーボードコントローラーとされうる。この応用例中、該コントローラー２のマイクロコントローラー２１はバスを介して該ノートブック型コンピュータ装置中のＣＰＵ５に連接され、該ＣＰＵ５の作業クロックがクロックジェネレータ６により供給される。該コントローラー２のマイクロコントローラー２１は制御線を経由して周波数ダウン制御信号Ｓｃを発生してＣＰＵ５に送り、該ＣＰＵ５の作業周波数を正常周波数作業モード或いは周波数ダウン作業モードに切り換えさせる。正常周波数作業モードの時、該ＣＰＵ５は比較的高い作業速度で動作し、周波数ダウン作業モードでは、該ＣＰＵ５は比較的低い作業速度下で動作するが、電気エネルギーの消耗は比較的少ない。
【００１６】
該マイクロコントローラー２１に設定基準値保存ユニット２３が連接され、該設定基準値保存ユニット２３は予め設定された各項の必要な基準参考値、例えば電源供給器の定格負荷電流Ｉｍａｘ、定格出力電圧Ｖ、各負荷作業に必要な定格電流、誤差等の値を保存する。該設定基準値保存ユニット２３中には定格リミット電流差値Ｉｄｉｆｆが保存され、その定義は定格負荷電流Ｉｍａｘと実際の総出力電流Ｉｒｅａｌのリミット電流差値とされる。
【００１７】
さらに、該マイクロコントローラー２１には優先順序保存ユニット２４が連接され、それは全体システム中の負荷数、及び予め制定された各負荷の暫時停止される優先順序表等のデータを保存する。例えばノートブック型コンピュータの応用の場合では、該優先順序保存ユニット２４中に制定された暫時停止の最高優先順序は、ノートブック型コンピュータの電池の充電回路とされる。該優先順序保存ユニット２４中にはまたＣＰＵ５の周波数ダウン作業モードもまた優先順序表中の作業項目中に記載され、必要時に適時に周波数ダウン作業モードに切り換えて操作される。
【００１８】
前述の負荷とは広くコンピュータシステム中の実際の負荷（例えば電池、ファン、ディスクドライブ）等を指すほか、該コンピュータシステム中のある一つの実行プログラム或いは機能（例えばＣＰＵの周波数を下げる或いは回復させる）とされうる。
【００１９】
前述の優先順序保存ユニット２４中に保存される各負荷の暫時停止の優先順序を決定する因子は、全体のコンピュータシステム中の所定操作機能維持の重要度により定められる。例えばコンピュータシステムが操作中の時、充電電流の電池への供給の暫時停止は該コンピュータシステムの正常運転に影響を与えず、また、重要でない実行プログラムのシャットダウンもまた該コンピュータシステムの正常運転に影響を与えない。また、コンピュータシステム操作中に、該ＣＰＵ５を周波数ダウン作業モードに切り換えると、作業速度が遅くなるが、該コンピュータシステムの正常運転に影響を与えない。
【００２０】
前述の回路連接構造に基づき、本発明は電源管理及び制御のフローを実行する時（図２参照）、先ず、ステップ１０１にあって、各項の基準数値（例えば電源供給器の定格負荷電流Ｉｍａｘ、全体システム中の負荷数、及び予め制定した各負荷の暫時停止の優先順序）等のデータを設定或いは取得する。
【００２１】
その後、ステップ１０２で、該電源供給器が供給する実際の総出力電流Ｉｒｅａｌを測定し、さらにステップ１０３で、実際の総出力電流Ｉｒｅａｌと電源供給器の定格総出力電流値Ｉｍａｘを比較する。
【００２２】
比較した結果、該実際の総出力電流Ｉｒｅａｌが所定の定格総出力電流値Ｉｍａｘを既に超過していれば（ステップ１０４）、マイクロコントローラーが両者の差の値によりどの負荷をオフとすれば実際の総出力電流Ｉｒｅａｌを所定の安全電流値以下とできるかを計算する（ステップ１０５）。
【００２３】
この計算結果により少なくとも一つの負荷を選択し、その後、ステップ１０６で、さらにこれらの選択した負荷中の暫時停止の優先順序により、この選定された負荷の電源供給を暫時停止する。一部の負荷をオフとした後、制御フローが再度ステップ１０２に戻る前に、定時に重複して該電源供給器が供給する実際の総出力電流Ｉｒｅａｌを監視すると共に、電源供給の管理及び制御を実行する。
【００２４】
もし優先順序保存ユニット２４中にあってＣＰＵ５の周波数ダウン作業モードが優先順序表中に記載されていれば、ステップ１０６で、その順位により適時に該ＣＰＵの作業モードを周波数ダウン作業モードに切り換える。
【００２５】
ステップ１０４中で、実際の総出力電流Ｉｒｅａｌが所定の定格総出力電流値Ｉｍａｘを未超過であると判断した時は、マイクロコントローラーがステップ１０７中でその電流差値が先に電力供給を暫時停止した一部負荷を再起動できるものかを判断する。計算した結果がいずれか一つの負荷を再起動するに不足する場合は、コントローラーはいかなる動作も実行しない。
【００２６】
ステップ１０７中で、計算結果が一部負荷を再起動するに足りる場合、ステップ１０８でさらに先に電力供給を暫時停止した負荷のどれを再起動するかを計算し、その後、さらにステップ１０９において、これらの選択した負荷の反対方向優先順序により、選定した負荷への電力供給を再開する。
【００２７】
優先順序保存ユニット２４中にあってＣＰＵ５の周波数ダウン作業モードが優先順序表中に記載されている場合は、ステップ１０９で先の周波数ダウン作業モードに切り換えられたＣＰＵを、正常な周波数の作業モードに再度切り換える。
【００２８】
図３は本発明の第２実施例の制御フローチャートである。その制御フローのほとんどは図２に示される第１実施例の制御フローと同じである。ゆえに、同じステップは同じ参照符号を以て表示されている。この制御フローでは、先ずステップ１０１で、各項の基準数値（電源供給器定格総出力電流値Ｉｍａｘ、定格リミット電流差値Ｉｄｉｆｆ、全体システム中の負荷数、及び予め制定された各負荷の暫時停止の優先順序）等のデータを設定或いは取得し、そのうち、この定格リミット電流差値Ｉｄｉｆｆの定義は定格総出力電流値Ｉｍａｘと実際の総出力電流Ｉｒｅａｌのリミット電流差値とされる。
【００２９】
そのうちステップ１０２にあって、該電源供給器の供給する実際の総出力電流Ｉｒｅａｌを測定し、さらにステップ１０３で、実際の総出力電流Ｉｒｅａｌと電源供給器の定格総出力電流値Ｉｍａｘを比較する。
【００３０】
比較した結果、実際の総出力電流Ｉｒｅａｌとすでに定格総出力電流値Ｉｍａｘとの差が設定された定格リミット電流差値Ｉｄｉｆｆを超過した時（ステップ１０４ａ）、マイクロコントローラーが実際の総出力電流Ｉｒｅａｌと定格総出力電流値Ｉｍａｘの差の値により、どの負荷をオフとすれば実際の総出力電流Ｉｒｅａｌを所定の安全電流値以下とできるかを計算する（ステップ１０５）。この計算結果により少なくとも一つの負荷を選択し、その後、ステップ１０６で、さらにこれらの選択した負荷中の暫時停止の優先順序により、この選定した負荷の電源供給を暫時停止する。
【００３１】
一部の負荷をオフとした後、制御フローが再度ステップ１０２に戻る前に、定時に重複して該電源供給器が供給する実際の総出力電流Ｉｒｅａｌを監視すると共に、電源供給の管理及び制御を実行する。
【００３２】
ステップ１０４ａ中で、実際の総出力電流Ｉｒｅａｌと所定の定格総出力電流値Ｉｍａｘとの差が設定された定格リミット電流差値Ｉｄｉｆｆを未超過であると判断した時は、マイクロコントローラーがステップ１０７中でその電流差値が先に電力供給を暫時停止した一部負荷を再起動できるものかを判断する。計算した結果がいずれか一つの負荷を再起動するに不足する場合は、コントローラーはいかなる動作も実行しない。
【００３３】
ステップ１０７中で、計算結果が一部負荷を再起動するに足りる場合、ステップ１０８でさらに先に電力供給を暫時停止した負荷のどれを再起動するかを計算し、その後、さらにステップ１０９において、これらの選択した負荷の反対方向優先順序により、選定した負荷への電力供給を再開する。
【００３４】
本発明のコントローラーは不断に電源供給状況と負荷の消耗パワーの状況を監視制御し、また、電源監視制御停止の命令を検出すると（ステップ１１０）、電源供給の管理及び制御機能を停止する。電源監視制御の命令を受け取っていない時は、制御フローは重複してステップ１０２に戻る前に、定時に重複して該電源供給器の供給する実際の総出力電流Ｉｒｅａｌを監視すると共に電源供給の管理及び制御を実行する。
【００３５】
以上の実施例の説明から分かるように、本発明は高度な産業上の利用価値を有する。なお、以上の実施例は本発明の実施範囲を限定するものではなく、本発明に基づきなしうる細部の修飾或いは改変は、いずれも本発明の請求範囲に属するものとする。
【００３６】
【発明の効果】
本発明の技術手段により、電子設備の電力供給システムが、最良の電力供給状況に置かれ、並びに負荷電流が所定の定格負荷電流を超過することを検出した時、適時に一部負荷への電力供給を暫時停止し、負荷電流が所定の定格負荷電流を未超過の時、適時に先に電力供給を暫時停止した一部の負荷を再起動する。これにより有効に各負荷の持続的電力供給による電力供給器のオーバーロード状態を防止でき、安全の目的を達成する。且つ本発明の制御装置は全体のコンピュータシステム中の所定の操作機能維持の重要程度により各負荷の暫時停止される優先順序を定め、ゆえに一部負荷への電力供給を暫時停止する時に、この電子負荷システムの正常な運転に影響を与えない。
【図面の簡単な説明】
【図１】本発明のシステム連接表示図である。
【図２】本発明の第１実施例の制御フローチャートである。
【図３】本発明の第２実施例の制御フローチャートである。
【符号の説明】
１  電源供給器
２  コントローラー
２１  マイクロコントローラー
２２  スイッチ装置
２３  設定基準値保存ユニット
２４  優先順序保存ユニット
３１、３２、３３、３４  負荷
４１、４２、４３、４４  電流検出回路
５  ＣＰＵ
６  クロックジェネレータ
ＡＣＶ  交流電圧源
Ｖ  直流出力電圧
Ｉｍａｘ  定格総出力電流値
Ｉｒｅａｌ  実際の総出力電流
Ｉｄｉｆｆ  定格リミット電流差値
Ｉ１、Ｉ２、Ｉ３、Ｉ４  負荷電流
ＳＩ１、ＳＩ２、ＳＩ３、ＳＩ４  負荷電流信号
Ｓｃ  周波数ダウン制御信号
【図１】
2004227555.tif 000003
【図２】
2004227555.tif 000004
【図３】
2004227555.tif 000005